(57)【特許請求の範囲】
【請求項１】
放送された番組について、放送波の受信状態が良好な場合にフルセグメントデジタル放送受信を行い、放送波の受信状態が悪い場合にワンセグメントデジタル放送受信を行うデジタル放送受信装置であって、
複数のチューナ部と、
前記複数のチューナ部を用いた合成ダイバーシティ構成によって１つの番組に対する復調処理および映像・音声の再生処理を行って第１の再生出力を得る第１の復調・再生モードと、前記複数のチューナ部の一部を用いて１つの番組に対する復調処理および映像・音声の再生処理を行って第２の再生出力を得るとともに、前記複数のチューナ部の他の一部を用いて他の１つの番組に対する復調処理および映像・音声の再生処理を行って第３の再生出力を得る第２の復調・再生モードとを選択的に実施する復調・再生手段と、
前記第１および第２の復調・再生モードの選択的な実施と、これら第１および第２の復調・再生モードのそれぞれにおいてフルセグメントデジタル放送受信とワンセグメントデジタル放送受信のいずれを行うかを指示する制御手段と、
を備え、前記制御手段は、前記復調・再生手段が前記第２の復調・再生モードで動作中であって、前記複数のチューナ部の一部を用いたワンセグメントデジタル放送受信によって第１の番組の受信が行われ、前記複数のチューナ部の他の一部を用いたワンセグメントデジタル放送受信あるいはフルセグメントデジタル放送受信によって第２の番組の受信が行われる場合に、前記第２の番組を切り替えることにより前記第１および第２の番組が一致したときに、所定時間、前記第２の復調・再生モードから前記第１の復調・再生モードへの変更を制限することを特徴とするデジタル放送受信装置。
【請求項２】
請求項１において、
前記所定時間が経過するまで前記第１および第２の番組が一致した状態が継続しているときに、前記制御手段は、前記第２の復調・再生モードから前記第１の復調・再生モードへ変更する指示を前記復調・再生手段に対して行うことを特徴とするデジタル放送受信装置。
【請求項３】
放送された番組について、放送波の受信状態が良好な場合にフルセグメントデジタル放送受信を行い、放送波の受信状態が悪い場合にワンセグメントデジタル放送受信を行うデジタル放送受信装置であって、
複数のチューナ部と、
前記複数のチューナ部を用いた合成ダイバーシティ構成によって１つの番組に対する復調処理および映像・音声の再生処理を行って第１の再生出力を得る第１の復調・再生モードと、前記複数のチューナ部の一部を用いて１つの番組に対する復調処理および映像・音声の再生処理を行って第２の再生出力を得るとともに、前記複数のチューナ部の他の一部を用いて他の１つの番組に対する復調処理および映像・音声の再生処理を行って第３の再生出力を得る第２の復調・再生モードとを選択的に実施する復調・再生手段と、
前記第１および第２の復調・再生モードの選択的な実施と、これら第１および第２の復調・再生モードのそれぞれにおいてフルセグメントデジタル放送受信とワンセグメントデジタル放送受信のいずれを行うかを指示する制御手段と、
を備え、前記制御手段は、前記復調・再生手段が前記第２の復調・再生モードで動作中であって、前記複数のチューナ部の一部を用いたワンセグメントデジタル放送受信によって第１の番組の受信が行われ、前記複数のチューナ部の他の一部を用いたワンセグメントデジタル放送受信あるいはフルセグメントデジタル放送受信によって第２の番組の受信が行われる場合に、前記第２の番組を切り替えることにより前記第１および第２の番組が一致したときに、前記第２の復調・再生モードから前記第１の復調・再生モードへ変更するとともに、所定時間、前記第１の番組の受信方式としてワンセグメントデジタル放送受信を維持することを特徴とするデジタル放送受信装置。
【請求項４】
放送された番組について、放送波の受信状態が良好な場合にフルセグメントデジタル放送受信を行い、放送波の受信状態が悪い場合にワンセグメントデジタル放送受信を行うデジタル放送受信装置であって、
複数のチューナ部と、
前記複数のチューナ部を用いた合成ダイバーシティ構成によって１つの番組に対する復調処理および映像・音声の再生処理を行って１系統の第１の再生出力を得る第１の復調・再生モードと、前記複数のチューナ部の一部を用いて１つの番組に対する復調処理および映像・音声の再生処理を行って１系統の第２の再生出力を得るとともに、前記複数のチューナ部の他の一部を用いて他の１つの番組に対する復調処理および映像・音声の再生処理を行って第３の再生出力を得る第２の復調・再生モードとを選択的に実施する復調・再生手段と、
前記第１および第２の復調・再生モードの選択的な実施と、これら第１および第２の復調・再生モードのそれぞれにおいてフルセグメントデジタル放送受信とワンセグメントデジタル放送受信のいずれを行うかを指示する制御手段と、
を備え、前記制御手段は、前記復調・再生手段が前記第２の復調・再生モードで動作中であって、前記複数のチューナ部の一部を用いたワンセグメントデジタル放送受信によって第１の番組の受信が行われ、前記複数のチューナ部の他の一部を用いたワンセグメントデジタル放送受信あるいはフルセグメントデジタル放送受信によって第２の番組の受信が行われる場合に、前記第２の番組を切り替えることにより前記第１および第２の番組が一致したときに、前記第１の復調・再生モードにて前記第１の番組を受信したときの受信状態に応じてワンセグメントデジタル放送受信からフルセグメントデジタル放送受信に切り替わる場合に、前記第２の復調・再生モードから前記第１の復調・再生モードへの変更を禁止することを特徴とするデジタル放送受信装置。
【発明の詳細な説明】
【技術分野】
【０００１】
本発明は、車両等に搭載されて映像や音声などのデジタル放送等を受信するデジタル放送受信装置に関する。
【背景技術】
【０００２】
従来から、複数のチューナを備え、車両のフロント座席側とリア座席側で同一番組を視聴する場合には複数のチューナを用いたダイバーシティ受信を行い、フロント座席側とリア座席側とで異なる番組を視聴する場合には複数のチューナ部の一部と残りとで別々の番組を受信する動作を行うようにした地上デジタル放送受信機が知られている（例えば、特許文献１−４参照。）。
【先行技術文献】
【特許文献】
【０００３】
【特許文献１】特開２００５−１６７８９０号公報
【特許文献２】特開２００６−１９７１６８号公報
【特許文献３】特開２００７−１６６１８８号公報
【特許文献４】特開２００８−８５７６２号公報
【発明の概要】
【発明が解決しようとする課題】
【０００４】
最近の地上デジタル放送受信機では、通常はフルセグメントデジタル放送受信を行い、放送波の受信状態が悪化したときにワンセグメントデジタル放送受信を行うことにより、放送波の受信状態にかかわらず可能な限り番組視聴を継続することができるようになっている。
【０００５】
ところで、特許文献１−４に開示された地上デジタル放送受信機では、車両のフロント座席側とリア座席側とで別々の番組を視聴することができるが、例えば、受信状態が悪化したときにフロント座席側の番組視聴をワンセグメントデジタル放送受信によって行っているときに、リア座席側において受信対象となる放送局を短時間で連続的に（例えば数秒間隔で）切り替えるいわゆるザッピングを行うと、フロント座席側の受信番組とリア座席側の受信番組とが一致したときに、全てのチューナを用いたダイバーシティ受信が行われるため、一時的に受信状態が改善されてフロント座席側がワンセグメントデジタル放送受信からフルセグメントデジタル放送受信に切り替わる場合がある。このような受信方式の変更は、画質の向上の点からは望ましいが、ワンセグメントデジタル放送受信によって再生される映像や音声と、フルセグメントデジタル放送受信によって再生される映像や音声との間には、再生内容の時間的なずれがあるため、再生される番組内容が一時的に不連続になってしまい、円滑な視聴を妨げるという問題があった。この問題は、フロント座席側の受信番組とリア座席側の受信番組とが一致した状態から再び不一致の状態になる場合（ワンセグメントデジタル放送受信に戻る場合）にも発生する。
【０００６】
本発明は、このような点に鑑みて創作されたものであり、その目的は、受信番組を短時間で切り替える際に番組内容が一時的に不連続になることを防止し、円滑な視聴を継続することができるデジタル放送受信装置を提供することにある。
【課題を解決するための手段】
【０００７】
上述した課題を解決するために、本発明のデジタル放送受信装置は、放送された番組について、放送波の受信状態が良好な場合にフルセグメントデジタル放送受信を行い、放送波の受信状態が悪い場合にワンセグメントデジタル放送受信を行うデジタル放送受信装置であって、複数のチューナ部と、複数のチューナ部を用いた合成ダイバーシティ構成によって１つの番組に対する復調処理および映像・音声の再生処理を行って第１の再生出力を得る第１の復調・再生モードと、複数のチューナ部の一部を用いて１つの番組に対する復調処理および映像・音声の再生処理を行って第２の再生出力を得るとともに、複数のチューナ部の他の一部を用いて他の１つの番組に対する復調処理および映像・音声の再生処理を行って第３の再生出力を得る第２の復調・再生モードとを選択的に実施する復調・再生手段と、第１および第２の復調・再生モードの選択的な実施と、これら第１および第２の復調・再生モードのそれぞれにおいてフルセグメントデジタル放送受信とワンセグメントデジタル放送受信のいずれを行うかを指示する制御手段とを備えている。制御手段は、復調・再生手段が第２の復調・再生モードで動作中であって、複数のチューナ部の一部を用いたワンセグメントデジタル放送受信によって第１の番組の受信が行われ、複数のチューナ部の他の一部を用いたワンセグメントデジタル放送受信あるいはフルセグメントデジタル放送受信によって第２の番組の受信が行われる場合に、第２の番組を切り替えることにより第１および第２の番組が一致したときに、所定時間、第２の復調・再生モードから第１の復調・再生モードへの変更を制限する。
【０００８】
特に、上述した所定時間が経過するまで第１および第２の番組が一致した状態が継続しているときに、制御手段は、第２の復調・再生モードから第１の復調・再生モードへ変更する指示を復調・再生手段に対して行う。
【０００９】
これにより、ワンセグメントデジタル放送受信によって第１の番組を視聴する動作と、第２の番組を視聴する動作とを並行して行う場合であって、第２の番組を順番に切り替えるようなときに第２の番組が第１の番組と一致した場合であっても、所定時間の間はフルセグメントデジタル放送受信に切り替わることがないため、第１の番組の視聴中にワンセグメントデジタル放送受信がフルセグメントデジタル放送受信に切り替わることを回避することができ、第１の番組の内容が一時的に不連続になることを防止し、円滑な視聴を継続することができる。
【００１０】
また、本発明のデジタル放送受信装置は、放送された番組について、放送波の受信状態が良好な場合にフルセグメントデジタル放送受信を行い、放送波の受信状態が悪い場合にワンセグメントデジタル放送受信を行うデジタル放送受信装置であって、複数のチューナ部と、複数のチューナ部を用いた合成ダイバーシティ構成によって１つの番組に対する復調処理および映像・音声の再生処理を行って第１の再生出力を得る第１の復調・再生モードと、複数のチューナ部の一部を用いて１つの番組に対する復調処理および映像・音声の再生処理を行って第２の再生出力を得るとともに、複数のチューナ部の他の一部を用いて他の１つの番組に対する復調処理および映像・音声の再生処理を行って第３の再生出力を得る第２の復調・再生モードとを選択的に実施する復調・再生手段と、第１および第２の復調・再生モードの選択的な実施と、これら第１および第２の復調・再生モードのそれぞれにおいてフルセグメントデジタル放送受信とワンセグメントデジタル放送受信のいずれを行うかを指示する制御手段とを備えている。制御手段は、復調・再生手段が第２の復調・再生モードで動作中であって、複数のチューナ部の一部を用いたワンセグメントデジタル放送受信によって第１の番組の受信が行われ、複数のチューナ部の他の一部を用いたワンセグメントデジタル放送受信あるいはフルセグメントデジタル放送受信によって第２の番組の受信が行われる場合に、第２の番組を切り替えることにより第１および第２の番組が一致したときに、第２の復調・再生モードから第１の復調・再生モードへ変更するとともに、所定時間、第１の番組の受信方式としてワンセグメントデジタル放送受信を維持する。
【００１１】
これにより、第２の番組が第１の番組と一致した場合に直ちに第２の復調・再生モードから第１の復調・再生モードへの変更を実施する一方で、ワンセグメントデジタル放送受信による第１の番組の視聴を継続することができ、第１の番組の内容が一時的に不連続になることを防止し、円滑な視聴を継続することができる。
【００１２】
また、本発明のデジタル放送受信装置は、放送された番組について、放送波の受信状態が良好な場合にフルセグメントデジタル放送受信を行い、放送波の受信状態が悪い場合にワンセグメントデジタル放送受信を行うデジタル放送受信装置であって、複数のチューナ部と、複数のチューナ部を用いた合成ダイバーシティ構成によって１つの番組に対する復調処理および映像・音声の再生処理を行って１系統の第１の再生出力を得る第１の復調・再生モードと、複数のチューナ部の一部を用いて１つの番組に対する復調処理および映像・音声の再生処理を行って１系統の第２の再生出力を得るとともに、複数のチューナ部の他の一部を用いて他の１つの番組に対する復調処理および映像・音声の再生処理を行って第３の再生出力を得る第２の復調・再生モードとを選択的に実施する復調・再生手段と、第１および第２の復調・再生モードの選択的な実施と、これら第１および第２の復調・再生モードのそれぞれにおいてフルセグメントデジタル放送受信とワンセグメントデジタル放送受信のいずれを行うかを指示する制御手段とを備えている。制御手段は、復調・再生手段が第２の復調・再生モードで動作中であって、複数のチューナ部の一部を用いたワンセグメントデジタル放送受信によって第１の番組の受信が行われ、複数のチューナ部の他の一部を用いたワンセグメントデジタル放送受信あるいはフルセグメントデジタル放送受信によって第２の番組の受信が行われる場合に、第２の番組を切り替えることにより第１および第２の番組が一致したときに、第１の復調・再生モードにて第１の番組を受信したときの受信状態に応じてワンセグメントデジタル放送受信からフルセグメントデジタル放送受信に切り替わる場合に、第２の復調・再生モードから第１の復調・再生モードへの変更を禁止する。
【００１３】
これにより、ワンセグメントデジタル放送受信によって第１の番組を視聴する動作と、第２の番組を視聴する動作とを並行して行う場合であって、第２の番組を順番に切り替えるようなときに第２の番組が第１の番組と一致した場合であっても、ワンセグメントデジタル放送受信からフルセグメントデジタル放送受信に切り替わるような受信状態の場合には、第２の復調・再生モードから第１の復調・再生モードへの変更が禁止されるため、第１の番組の視聴中にワンセグメントデジタル放送受信がフルセグメントデジタル放送受信に切り替わることを回避することができ、第１の番組の内容が一時的に不連続になることを防止し、円滑な視聴を継続することができる。
【図面の簡単な説明】
【００１４】
【図１】一実施形態の地上デジタル放送受信機の構成を示す図である。
【図２】フロント座席側とリア座席側で別々の番組を視聴しながら、リア座席側においてザッピングを行う説明図である。
【図３】第１の実施例においてワンセグ受信モードからフルセグ受信モードへの一時的な変更を制限する動作手順を示す図である。
【図４】第２の実施例においてワンセグ受信モードからフルセグ受信モードへの一時的な変更を制限する動作手順を示す図である。
【図５】受信モードの変更を禁止する受信状態の範囲を示す図である。
【図６】第３の実施例においてワンセグ受信モードからフルセグ受信モードへの一時的な変更を禁止する動作手順を示す図である。
【発明を実施するための形態】
【００１５】
以下、本発明を適用した一実施形態の地上デジタル放送受信機について、図面を参照しながら説明する。図１は、一実施形態の地上デジタル放送受信機の構成を示す図である。図１に示すように、本実施形態の地上デジタル放送受信機１００は、車両に搭載されており、４つのチューナ部１０、１２、１４、１６、ＯＦＤＭ（Orthogonal Frequency Division Multiplex）復調部３０、３２、ＭＰＥＧデコーダ４０Ｆ、４０Ｒ、デジタル−アナログ変換器（Ｄ／Ａ）４２Ｆ、４２Ｒ、スピーカ４４Ｆ、４４Ｒ、表示処理部４６Ｆ、４６Ｒ、表示装置４８Ｆ、４８Ｒ、出力切替部５０、操作部６０Ｆ、６０Ｒ、制御部７０を含んで構成されている。
【００１６】
チューナ部１０、１２、１４、１６のそれぞれは、指定された放送局に対応する受信周波数の放送波をアンテナを介して受信する。ＯＦＤＭ復調部３０、３２のそれぞれは、複数のチューナ部から入力される放送信号（ＩＦ信号）に対してＯＦＤＭ復調処理を行い、ＴＳ（トランスポートストリーム）信号を出力する。本実施形態では、複数のチューナ部から入力される放送信号を用い、これらの放送信号の位相を調整した後に合成して受信する合成ダイバーシティ構成が採用され、使用するチューナ部の数が多い程Ｃ／Ｎを向上させることができる。
【００１７】
本実施形態では、２つのチューナ部１０、１２から出力される２つのＩＦ信号を合成してＯＦＤＭ復調処理を行う２合成ダイバーの動作が一方のＯＦＤＭ復調部３０によって行われるとともに、他の２つのチューナ部１４、１６から出力される２つのＩＦ信号を合成してＯＦＤＭ復調処理を行う２合成ダイバーの動作が他方のＯＦＤＭ復調部３２によって行われる。なお、４つのチューナ部１０〜１６から出力される４つのＩＦ信号を合成する４合成ダイバーの動作を行う際には、他方のＯＦＤＭ復調部３２の出力信号が一方のＯＦＤＭ復調部３０に入力されて、このＯＦＤＭ復調部３０によってＩＦ信号の合成およびＯＦＤＭ復調処理が行われる。
【００１８】
一方のＭＰＥＧデコーダ４０Ｆは、一方のＯＦＤＭ復調部３０から出力されるＴＳ信号に含まれる受信番組の音声および映像のＭＰＥＧ信号をデコードし、音声データおよび映像データを出力する。なお、実際には、ＯＦＤＭ復調部３０から出力されるＴＳ信号はデマルチプレクサに入力されて、利用者が視聴を希望している番組に対応する音声および映像のＭＰＥＧ信号が分離されるが、このような番組の受信動作自体は従来手法と同じであって、図１では概略構成のみが図示されている。
【００１９】
他方のＭＰＥＧデコーダ４０Ｒは、他方のＯＦＤＭ復調部３２から出力されるＴＳ信号に含まれる受信番組の音声および映像のＭＰＥＧ信号をデコードし、音声データおよび映像データを出力する。なお、実際には、ＯＦＤＭ復調部３２から出力されるＴＳ信号はデマルチプレクサに入力されて、利用者が視聴を希望している番組に対応する音声および映像のＭＰＥＧ信号が分離されるが、このような番組の受信動作自体は従来手法と同じであって、図１では概略構成のみが図示されている。
【００２０】
一方のデジタル−アナログ変換器４２Ｆは、ＭＰＥＧデコーダ４０Ｆから出力される音声データをアナログ音声信号に変換し、スピーカ４４Ｆから出力する。表示処理部４６Ｆは、ＭＰＥＧデコーダ４０Ｆから出力される映像データを表示に適した形式（例えば、ＮＴＳＣ形式）の映像信号に変換して表示装置４８Ｆに表示する。スピーカ４４Ｆおよび表示装置４８Ｆは、フロント座席の利用者（搭乗者）による番組内容の視聴が可能な位置に配置されている。
【００２１】
他方のデジタル−アナログ変換器４２Ｒは、ＭＰＥＧデコーダ４０Ｒから出力される音声データをアナログ音声信号に変換し、スピーカ４４Ｒから出力する。表示処理部４６Ｒは、ＭＰＥＧデコーダ４０Ｒから出力される映像データを表示に適した形式（例えば、ＮＴＳＣ形式）の映像信号に変換して表示装置４８Ｒに表示する。スピーカ４４Ｒおよび表示装置４８Ｒは、リア座席の利用者（搭乗者）による番組内容の視聴が可能な位置に配置されている。
【００２２】
本実施形態では、４合成ダイバーの動作によって得られたＯＦＤＭ復調部３０の再生出力（音声データ、映像データ）をフロント座席側とリア座席側の両方に入力することができるようになっており、この再生出力の入力先の切り替えを行う行うために出力切替部５０が設けられている。出力切替部５０は、ＯＦＤＭ復調部３０の再生出力をフロント座席側のデジタル−アナログ変換器４２Ｆおよび表示処理部４６Ｆに入力するとともにＯＦＤＭ復調部３２の再生出力をリア座席側のデジタル−アナログ変換器４２Ｒおよび表示処理部４６Ｒに入力する接続状態と、ＯＦＤＭ復調部３０の再生出力をフロント座席側およびリア座席側のデジタル−アナログ変換器４２Ｆ、４２Ｒおよび表示処理部４６Ｆ、４６Ｒに入力する接続状態を切り替える。
【００２３】
一方の操作部６０Ｆは、フロント座席側の搭乗者が操作することにより、各種の指示を与えるためのものである。例えば、表示装置４８Ｆの筐体に設けられた各種スイッチ類や表示装置４８Ｆに重ねて配置されたタッチパネル等を用いて操作部６０Ｆが構成されており、チャンネル選択（放送局の切り替え）や音量設定などに用いられる。
【００２４】
他方の操作部６０Ｒは、リア座席側の搭乗者が操作することにより、各種の指示を与えるためのものである。例えば、表示装置４８Ｒの筐体に設けられた各種スイッチ類や表示装置４８Ｒに重ねて配置されたタッチパネル等を用いて操作部６０Ｒが構成されており、チャンネル選択（放送局の切り替え）や音量設定などに用いられる。
【００２５】
制御部７０は、地上デジタル放送受信機１００の番組受信動作を含む全体を制御する。このために、制御部７０は、受信状態判定部７２、復調・再生モード設定部７４、受信モード設定部７６、受信周波数切替部７８を備えている。
【００２６】
本実施形態では、受信している放送波（放送局）の受信状態に応じて受信モードが自動的に（あるいは手動操作により）変更される。この受信モードとしては、フルセグメントデジタル放送受信を行うフルセグ受信モードと、ワンセグメントデジタル放送受信を行うワンセグ受信モードがある。受信対象となっている放送波の受信状態（例えば、Ｃ／Ｎ）が基準値を超える場合はフルセグ受信モードによる受信動作が可能になるが、基準値以下の場合にはフルセグ受信モードによる受信動作に代えてワンセグ受信モードによる受信動作が行われる。
【００２７】
また、本実施形態では、４つのチューナ部１０〜１６の組み合わせを変えることにより復調・再生モードを変更することができる。例えば、４つのチューナ部１０〜１６を用いた４合成ダイバーの動作を行って１つの番組の映像や音声を再生する第１の復調・再生モードと、２つのチューナ部１０、１２用いて２合成ダイバーの動作を行ってフロント座席側に対応した１つの番組の映像や音声を再生するとともに、２つのチューナ部１４、１６用いて２合成ダイバーの動作を行ってフロント座席側と異なるリア座席側に対応した他の番組の映像や音声を再生する第２の復調・再生モードのいずれか一方が利用者の指示に応じて選択可能となっている。
【００２８】
第１の復調・再生モードを選択したときに得られる再生出力（ＭＰＥＧデコーダ４０Ｆから出力される第１の再生出力）は、フロント座席側およびリア座席側の両方に提供することもできるが、いずれか一方のみに提供することもできる。また、第２の復調・再生モードを選択したときに得られる２つの再生出力（ＭＰＥＧデコーダ４０Ｆから出力される第２の再生出力とＭＰＥＧデコーダ４０Ｒから出力される第３の再生出力）は、フロント座席側およびリア座席側のそれぞれに別々に提供される。
【００２９】
ところで、第１の復調・再生モード（４合成ダイバー）から第２の復調・再生モード（２合成ダイバー）に変更された場合に、受信している放送波（放送局）の受信状態（Ｃ／Ｎ）が悪化して基準値を超えて低下すると、同じ番組の受信を維持している場合であっても受信モードがフルセグ受信モードからワンセグ受信モードに切り替わってしまう。反対の場合も同様であり、第２の復調・再生モード（２合成ダイバー）から第１の復調・再生モード（４合成ダイバー）に変更された場合に、受信している放送波（放送局）の受信状態（Ｃ／Ｎ）が改善して基準値を超えて上昇すると、同じ番組の受信を維持している場合であっても受信モードがワンセグ受信モードからフルセグ受信モードに切り替わってしまう。
【００３０】
上述した受信状態判定部７２は、受信する放送波（放送局）の受信状態（Ｃ／Ｎ）を判定する。この受信状態は、復調処理の内容（２合成ダイバー、４合成ダイバー）によって変化する。
【００３１】
復調・再生モード設定部７４は、自動的にあるいは利用者の指示に応じて復調・再生モードを設定する。例えば、フロント座席側とリア座席側で共通の番組を視聴する場合には第１の復調・再生モードに設定される。この場合には、４つのチューナ部１０〜１６を用いた４合成ダイバーの動作が行われ、ＭＰＥＧデコーダ４０Ｆから出力される第１の再生出力がフロント座席側およびリア座席側の両方に提供される。また、フロント座席側とリア座席側で別々に番組を視聴する旨の指示が利用者によって行われると第２の復調・再生モードに設定される。この場合には、２つのチューナ部１０、１２を用いた２合成ダイバーの動作が行われてＭＰＥＧデコーダ４０Ｆから出力される第２の再生出力がフロント座席側に提供され、２つのチューナ部１４、１６を用いた２合成ダイバーの動作が行われてＭＰＥＧデコーダ４０Ｒから出力される第３の再生出力がリア座席側に提供される。
【００３２】
受信モード設定部７６は、受信中の放送波の受信状態（Ｃ／Ｎ）に応じて受信モードを設定する。上述したように、Ｃ／Ｎが基準値を超える場合にはフルセグ受信モードが設定され、基準値よりも小さい場合にはワンセグ受信モードが設定される。
【００３３】
受信周波数切替部７８は、利用者の指示に応じて受信対象となっているチャンネル（放送局）を切り替えるために、受信周波数の変更をチューナ１０〜１６のそれぞれに指示する。上述した第１の復調・再生モードの場合には、４つのチューナ１０〜１６に対して共通の受信周波数を設定する。また、第２の復調・再生モードの場合には、２つのチューナ部１０、１２に対してフロント座席側で視聴する番組（放送局）の受信周波数を設定し、２つのチューナ部１４、１６に対してリア座席側で視聴する番組（放送局）の受信周波数を設定する。なお、受信対象となる複数の放送局があらかじめプリセット番号毎に登録されており、利用者（フロント座席、リア座席の搭乗者）は、プリセット番号を指定したり、チャンネルアップ／ダウンキーを押下するなどの方法で受信対象の放送局を変更することができる。このような放送局の切り替えを頻繁に、例えば１０秒未満で繰り返す行為は、いわゆる「ザッピング」として広く知られている。
【００３４】
上述したＯＦＤＭ復調部３０、３２、ＭＰＥＧデコーダ４０Ｆ、４０Ｒが復調・再生手段に、受信状態判定部７２、復調・再生モード設定部７４、受信モード設定部７６が制御手段にそれぞれ対応する。
【００３５】
本実施形態の地上デジタル放送受信機１００はこのような構成を有しており、次に、フロント座席側とリア座席側で別々の番組を視聴する第２の復調・再生モードで操作中に、リア座席側の搭乗者が操作部６０Ｒを用いてザッピングを行う場合について説明する（図２）。
【００３６】
図２に示す例では、第２の復調・再生モードに設定されており、フロント座席側でワンセグ受信モードで放送局Ｂの番組が視聴され、リア座席側でザッピングにより放送局がＡ、Ｂ、Ｃ、・・・と短い時間間隔で切り替えられている。このようなケースでは、リア座席側で放送局Ｂに切り替わると、フロント座席側とリア座席側の両方で同じ放送局Ｂの番組を視聴することになるため、動作に何も制約がないと、復調・再生モード設定部７４によって第１の復調・再生モードに変更されるとともに、４合成ダイバーの動作に移行して放送局ＢのＣ／Ｎが向上すると、受信モード設定部７６によってフルセグ受信モードに変更されてしまうおそれがある。本実施形態では、このような受信モードの変更を制限する具体例として、以下に示す第１〜第３の実施例の動作が行われる。
【００３７】
（第１の実施例）
図３は、第１の実施例においてワンセグ受信モードからフルセグ受信モードへの一時的な変更を制限する動作手順を示す図である。図２に示す第２の復調・再生モードで動作中にリア座席側で受信する放送局の切り替えが発生すると、復調・再生モード設定部７４は、リア座席側とフロント座席側とで同じ放送局を受信しているか否かを判定する（ステップ１００）。異なる放送局を受信している場合には否定判断が行われて処理が終了する。
【００３８】
また、同じ放送局を受信している場合にはステップ１００の判定において肯定判断が行われる。次に、受信モード設定部７６は、フロント座席側がワンセグ受信モードに設定されているか否かを判定する（ステップ１０２）。ワンセグ受信モードの場合には肯定判断が行われる。次に、復調・再生モード設定部７４は、放送局切り替えから所定時間（例えば１０秒）経過したか否かを判定する（ステップ１０４）。経過していない場合には否定判断が行われ、ステップ１００に戻って同じ放送局の受信判定以降の動作が繰り返される。
【００３９】
また、放送局切り替えから１０秒が経過した場合にはステップ１０４の判定において肯定判断が行われる。その後、あるいは、フロント座席側がフルセグ受信モードの場合であってステップ１０２の判定において否定判断が行われた後、復調・再生モード設定部７４は第１の復調・再生モード（４合成ダイバーの動作）に変更する（ステップ１０６）。
【００４０】
このように、第１の実施例に対応する地上デジタル放送受信機１００では、図２に示す第２の復調・再生モードで動作中にリア座席側で受信する放送局の切り替えが発生したときに、リア座席側で受信する放送局とフロント座席側で受信する放送局とが一致した場合であっても、所定時間（１０秒間）の間は、第１の復調・再生モードに移行してフルセグ受信モードに切り替わることがないため、フロント座席側で視聴している放送局の番組の内容が一時的に不連続になることを防止し、円滑な視聴を継続することができる。
【００４１】
（第２の実施例）
図４は、第２の実施例においてワンセグ受信モードからフルセグ受信モードへの一時的な変更を制限する動作手順を示す図である。図２に示す第２の復調・再生モードで動作中にリア座席側で受信する放送局の切り替えが発生すると、復調・再生モード設定部７４は、リア座席側とフロント座席側とで同じ放送局を受信しているか否かを判定する（ステップ１００）。異なる放送局を受信している場合には否定判断が行われて処理が終了する。
【００４２】
また、同じ放送局を受信している場合にはステップ１００の判定において肯定判断が行われる。次に、受信モード設定部７６は、フロント座席側がワンセグ受信モードに設定されているか否かを判定する（ステップ１０２）。フルセグ受信モードに設定されている場合には否定判断が行われる。次に、復調・再生モード設定部７４は第１の復調・再生モード（４合成ダイバーの動作）に変更する（ステップ１０６）。
【００４３】
また、フロント座席側がワンセグ受信モードの場合にはステップ１０２の判定において肯定判断が行われる。次に、復調・再生モード設定部７４は第１の復調・再生モード（４合成ダイバーの動作）に変更し、受信モード設定部７６はそれまでの受信モード（ワンセグ受信モード）を固定する（ステップ２００）。なお、この状態では、受信動作は、受信状態（Ｃ／Ｎ）にかかわらずワンセグ受信モードで行われて、得られた再生出力が取り出されて、フロント座席側およびリア座席側における番組内容の視聴が行われる。
【００４４】
次に、復調・再生モード設定部７４は、放送局切り替えから所定時間（例えば１０秒）経過したか否かを判定する（ステップ２０２）。経過していない場合には否定判断が行われ、この判定が繰り返される。
【００４５】
また、放送局切り替えから１０秒が経過した場合にはステップ２０２の判定において肯定判断が行われる。次に、受信モード設定部７６は、受信モード（ワンセグ受信モード）の固定を解除する（ステップ２０４）。
【００４６】
このように、第２の実施例に対応する地上デジタル放送受信機１００では、図２に示す第２の復調・再生モードで動作中にリア座席側で受信する放送局の切り替えが発生したときに、リア座席側で受信する放送局とフロント座席側で受信する放送局とが一致した場合であっても、所定時間（１０秒間）の間は、第１の復調・再生モードに移行して４合成ダイバーの動作を開始する一方でそれまでの受信モード（ワンセグ受信モード）が固定されるため、フロント座席側がフルセグ受信モードに切り替わることがない。このため、フロント座席側で視聴している放送局の番組の内容が一時的に不連続になることを防止し、円滑な視聴を継続することができる。
【００４７】
（第３の実施例）
一般に、受信する放送局の受信状態（Ｃ／Ｎ）が非常に良好な場合は、第１の復調・再生モードと第２の復調・再生モードの間で切り替えが発生しても、フルセグ受信モードでの受信動作が維持される。また、受信する放送局の受信状態（Ｃ／Ｎ）が非常に悪い場合には、第１の復調・再生モードと第２の復調・再生モードの間で切り替えが発生しても、ワンセグ受信モードでの受信動作が維持される。これらの中間の受信状態（Ｃ／Ｎ）のときに、第１の復調・再生モードと第２の復調・再生モードの間で切り替えが生じると、ワンセグ受信モードからフルセグ受信モードへ変わったり、反対に、フルセグ受信モードからワンセグ受信モードに変わることになる。したがって、これらの中間の受信状態（Ｃ／Ｎ）のときに受信モードの変更を禁止すればよい。
【００４８】
図５は、受信モードの変更を禁止する受信状態の範囲を示す図である。図５において、縦軸は放送波の受信状態（Ｃ／Ｎ）を、横軸は時間ｔを示している。また、ａは、ダイバーシティ構成を変更しない場合にフルセグ受信モードとワンセグ受信モードとが切り替わる基準値である。また、ｂは、２合成ダイバーから４合成ダイバーに変更したときにワンセグ受信モードが維持される下限値である。放送波のＣ／Ｎが下限値ｂと基準値ａの間にある場合には、２合成ダイバーを４合成ダイバーに切り替えたときに、放送波のＣ／Ｎが改善されることに伴って、それまでのワンセグ受信モードがフルセグ受信モードに変更されてしまう。第３の実施例では、下限値ｂと基準値ａの間を禁止領域とし、放送波のＣ／Ｎがこの禁止領域に含まれる場合に、第２の復調・再生モードから第１の復調・再生モードへの切り替えを禁止している。
【００４９】
図６は、第３の実施例においてワンセグ受信モードからフルセグ受信モードへの一時的な変更を禁止する動作手順を示す図である。図２に示す第２の復調・再生モードで動作中にリア座席側で受信する放送局の切り替えが発生すると、復調・再生モード設定部７４は、リア座席側とフロント座席側とで同じ放送局を受信しているか否かを判定する（ステップ１００）。異なる放送局を受信している場合には否定判断が行われて処理が終了する。
【００５０】
また、同じ放送局を受信している場合にはステップ１００の判定において肯定判断が行われる。次に、受信モード設定部７６は、フロント座席側がワンセグ受信モードに設定されているか否かを判定する（ステップ１０２）。ワンセグ受信モードの場合には肯定判断が行われる。次に、復調・再生モード設定部７４は、放送局の受信状態（Ｃ／Ｎ）が図５に示す禁止領域に含まれるか否かを判定する（ステップ３００）。含まれる場合には肯定判断が行われ、ステップ１００に戻って同じ放送局の受信判定以降の動作が繰り返される。
【００５１】
また、放送局の受信状態（Ｃ／Ｎ）が図５に示す禁止領域に含まれていない場合にはステップ３００の判定において否定判断が行われる。その後、あるいは、フロント座席側がフルセグ受信モードの場合であってステップ１０２の判定において否定判断が行われた後、復調・再生モード設定部７４は第１の復調・再生モード（４合成ダイバーの動作）に変更する（ステップ１０６）。
【００５２】
このように、第３の実施例に対応する地上デジタル放送受信機１００では、図２に示す第２の復調・再生モードで動作中にリア座席側で受信する放送局の切り替えが発生したときに、リア座席側で受信する放送局とフロント座席側で受信する放送局とが一致した場合であっても、放送局の受信状態（Ｃ／Ｎ）が所定範囲（図５に示す禁止領域）に含まれる場合には、第１の復調・再生モードに移行してフルセグ受信モードに切り替わることがないため、フロント座席側で視聴している放送局の番組の内容が一時的に不連続になることを防止し、円滑な視聴を継続することができる。
【００５３】
なお、本発明は上記実施形態に限定されるものではなく、本発明の要旨の範囲内において種々の変形実施が可能である。例えば、上述した実施形態では、リア座席側に対応して２つのチューナ部１４、１６を、フロント座席側に対応して２つのチューナ部１０、１２を用いたが、これらのチューナ部の数（組み合わせ）はこれら以外であってもよい。例えば、リア座席側に１つのチューナ部１４を用い、フロント座席側に１つのチューナ部１０を用いるようにしてもよい。
【産業上の利用可能性】
【００５４】
上述したように、本発明によれば、ワンセグメントデジタル放送受信によって第１の番組を視聴する動作と、第２の番組を視聴する動作とを並行して行う場合であって、第２の番組を順番に切り替えるようなときに第２の番組が第１の番組と一致した場合であっても、第１の番組の視聴中にワンセグメントデジタル放送受信がフルセグメントデジタル放送受信に切り替わることを回避することができ、第１の番組の内容が一時的に不連続になることを防止し、円滑な視聴を継続することができる。
【符号の説明】
【００５５】
１００  地上デジタル放送受信機
１０、１２、１４、１６  チューナ部
３０、３２  ＯＦＤＭ復調部
４０Ｆ、４０Ｒ  ＭＰＥＧデコーダ
４２Ｆ、４２Ｒ  デジタル−アナログ変換器（Ｄ／Ａ）
４４Ｆ、４４Ｒ  スピーカ
４６Ｆ、４６Ｒ  表示処理部
４８Ｆ、４８Ｒ  表示装置
６０  出力切替部
６０Ｆ、６０Ｒ  操作部
７０  制御部
７２  受信状態判定部
７４  復調・再生モード設定部
７６  受信モード設定部
７８  受信周波数切替部
【図１】
0006257490.tif 000002
【図２】
0006257490.tif 000003
【図３】
0006257490.tif 000004
【図４】
0006257490.tif 000005
【図５】
0006257490.tif 000006
【図６】
0006257490.tif 000007